(57)【要約】【課題】ダクト式照明器具において、容易に取り付けることができ、しかも、取り付けられた状態の外観が良いようにする。【解決手段】ダクト式照明器具１は、ランプ部２と配線ダクト３とを備えている。ランプ部２は、光源２１と点灯回路２２と係合突起２３と受電部２４を備えている。配線ダクト３は、下方向の面が開口しており内部空間を形成している。配線ダクト３は、係合溝３２と給電部３３を有している。係合突起２３及び受電部２４が回動されて係合溝３２及び給電部３３に係合される。建築物に取り付けられた配線ダクト３の内部空間にランプ部２が収容された状態で、ランプ部２の係合突起２３及び受電部２４を回動するだけで、これらを配線ダクト３の係合溝３２及び給電部３３に係合させ、保持させることができるので、ランプ部２が配線ダクト３より下に突出しない形状としても容易にランプ部を配線ダクトに取り付けることができると共に、外観が良くなる。【選択図】図１
2010147002.tif 000002
【特許請求の範囲】
【請求項１】
光源と、前記光源を点灯制御する点灯回路と、これらを収容する筐体と、を有するランプ部と、
建築物に取り付けられ、前記ランプ部を収容し該ランプ部の前記点灯回路に商用電源を供給する配線ダクトと、を備えたダクト式照明器具において、
前記ランプ部は、前記配線ダクト部の内部空間に収容されて保持されるための係合突起と、商用電源を受電する受電部と、を有し、
前記配線ダクトは、少なくとも一面が開口し、前記ランプ部を収容するための内部空間を形成し、内壁面に前記係合突起を係合する係合溝と、前記受電部に係合し商用電源を供給する給電部と、を有し、
前記係合突起及び受電部は、前記係合溝及び給電部にそれぞれ係合する位置と、係合しない位置との間で回動し得るように構成され、
前記ランプ部は、前記係合突起及び受電部が前記係合溝及び給電部と係合しない位置にある状態で前記配線ダクトの内部空間に挿入され、前記係合突起及び受電部が前記係合溝及び給電部に係合する位置に回動されることにより、前記配線ダクトに保持されることを特徴とするダクト式照明器具。
【発明の詳細な説明】
【技術分野】
【０００１】
本発明は、建築物に取り付けられるダクト式照明器具に関する。
【背景技術】
【０００２】
従来から、建築物に配線ダクトが取り付けられ、その配線ダクトの内壁に設けられた溝に照明器具を嵌合させて照明器具を保持すると共に、内壁に設けられた電源供給部によって照明器具に電源を供給するダクト式照明器具が知られている。このようなダクト式照明器具では照明器具に電源供給線を取り付ける作業が不要であるので、容易に照明器具を設置することができる。しかしながら、照明器具を配線ダクトに嵌合させるための操作部が配線ダクトより下にあるので、配線ダクトを天井面と同一高さに取り付けたときに操作部が天井面より下に出てしまい外観が悪くなる。
【０００３】
また、配線ダクトを用いずに照明器具を天井面に直接取り付け、天井面から下側への突出物を無くし、外観を良くしたものが知られている（例えば特許文献１参照）。しかしながら、このような照明器具においては、天井裏を通して電源供給線を照明器具に直接接続しなければならず、照明器具の取り付けに手間がかかる。
【特許文献１】特開２００７−３５４２６号公報
【発明の開示】
【発明が解決しようとする課題】
【０００４】
本発明は、上記従来の問題を解決するためになされたものであり、建築物に容易に取り付けることができ、しかも、取り付けられた状態の外観が良いダクト式照明器具を提供することを目的とする。
【課題を解決するための手段】
【０００５】
上記目的を達成するために請求項１の発明は、光源と、前記光源を点灯制御する点灯回路と、これらを収容する筐体と、を有するランプ部と、建築物に取り付けられ、前記ランプ部を収容し該ランプ部の前記点灯回路に商用電源を供給する配線ダクトと、を備えたダクト式照明器具において、前記ランプ部は、前記配線ダクト部の内部空間に収容されて保持されるための係合突起と、商用電源を受電する受電部と、を有し、前記配線ダクトは、少なくとも一面が開口し、前記ランプ部を収容するための内部空間を形成し、内壁面に前記係合突起を係合する係合溝と、前記受電部に係合し商用電源を供給する給電部と、を有し、前記係合突起及び受電部は、前記係合溝及び給電部にそれぞれ係合する位置と、係合しない位置との間で回動し得るように構成され、前記ランプ部は、前記係合突起及び受電部が前記係合溝及び給電部と係合しない位置にある状態で前記配線ダクトの内部空間に挿入され、前記係合突起及び受電部が前記係合溝及び給電部に係合する位置に回動されることにより、前記配線ダクトに保持されるものである。
【発明の効果】
【０００６】
請求項１の発明によれば、建築物に取り付けられた配線ダクトの内部空間にランプ部が収容された状態で、ランプ部の係合突起及び受電部を回動するだけで、これらを配線ダクトの係合溝及び給電部に係合させ、保持させることができる。従って、ランプ部が配線ダクトより下に突出しない形状としても容易にランプ部を配線ダクトに取り付けることができると共に、外観が良くなる。
【発明を実施するための最良の形態】
【０００７】
本発明の一実施形態に係るダクト式照明器具について、図１乃至図３を参照して説明する。ダクト式照明器具１は、照明を行なうランプ部２と、建築物Ｇに取り付けられてランプ部２を収容して保持し、ランプ部２に商用電源を供給する配線ダクト３とを備えている。
【０００８】
ランプ部２は、配線ダクト３の内部空間に収容される大きさの略長方体形状である。ランプ部２は、光源２１と、光源２１を点灯制御する点灯回路２２と、配線ダクト３に保持されるための係合突起２３と、商用電源を受電する受電部２４と、係合突起２３と受電部２４を有する回動部２５と、これらを収容する筐体２６とを備えている。光源２１は、複数の直列に接続されたＬＥＤ（図示せず）より成っており、光源２１は基盤２１ａに実装され、リード線４ａによって点灯回路２２と接続されている。光源２１は、また、反射鏡２１ｂによって囲まれており、発光された光は反射鏡２１ｂによって照射方向に反射される。光源２１は、電球や有機ＥＬ等でも構わない。
【０００９】
点灯回路２２は、受電部２４とリード線４ｂによって接続されており、受電した商用電源を整流平滑し、任意の電圧に降圧して光源２１に供給する。点灯回路２２は、外部からの例えば赤外線の点灯信号を受信部（図示せず）によって受信し、点灯を制御される。係合突起２３は、平板形状であり、回動部２５を貫通して両端を突出させている。受電部２４は、２枚の金属板であり、回動部２５から互いに外周逆方向に突出している。受電部２４は回動部２５の内部で、点灯回路２２と繋がるリード線４ｂに接続されている。回動部２５は、筐体２６を上下に貫通しており回動自在である。回動部２５は底面に受け溝２５ａを有しており、受け溝２５ａにマイナスドライバを係合させて回動することができる。筐体２６は、例えば樹脂より成り、光源２１や点灯回路２２等を保持している。光源２１から発生した熱は、筐体２６に設けられた放熱板２７によって外部に放熱される。
【００１０】
配線ダクト３は、建築物ＧにネジＨによって設置され、下面が開口し、ランプ部２を収容するための内部空間を有した直方体形状でレール状に伸長され、例えば、樹脂により形成される。配線ダクト３は、内壁面３１に係合突起２３を係合する係合溝３２と、受電部２４を係合し受電部２４に商用電源を供給する給電部３３とを有している。係合溝３２と給電部３３は、配線ダクト３の長手方向に沿って設けられており、配線ダクト３は、複数のランプ部２を長手方向のいずれの位置においても保持することができる。
【００１１】
係合溝３２は、内壁面３１から配線ダクト３の内側に突出した２段の平行板３４ａ、３４ｂを有しており、この２段の平行板３４ａ、３４ｂの間に係合突起２３を係合する。係合溝３２は、両側の内壁面３１に対向して設けられている。給電部３３は、内壁面３１から配線ダクト３の内側に突出した２段の平行板３４ｂ、３４ｃと、平行板３４ｂ、３４ｃの間に設けられた電極３５を有している。この２段の平行板３４ｂ、３４ｃの間に受電部２４が係合され、電極３５から受電部２４に給電される。給電部３３は、両側の内壁面３１に対向して設けられている。電極３５は伸長された金属板であり、配線ダクト３の端部で商用電源に接続されている。
【００１２】
ランプ部２の回動部２５は、係合突起２３及び受電部２４がそれぞれ係合溝３２及び給電部３３に係合する位置と、係合しない位置とに回動される。係合突起２３及び受電部２４がそれぞれ係合溝３２及び給電部３３に係合する位置とは、係合突起２３及び受電部２４が筐体２６の長手方向と垂直になる位置であり、係合しない位置とは筐体２６の長手方向と平行になる位置である。
【００１３】
上記のように構成されたダクト式照明器具１において、ランプ部２が配線ダクト３に取り付けられる動作について上記図に加えて図４及び図５（ａ）乃至（ｃ）を参照して説明する。まず、図５（ａ）に示すように、係合突起２３及び受電部２４が筐体２６の長手方向と平行な位置に回動された状態で、ランプ部２が配線ダクト３の内部空間に挿入される。続いて、図５（ｂ）に示すように、マイナスドライバＭの先端が受け溝２５ａに嵌合されて、回動部２５が９０度回動される。これによって、図５（ｃ）に示すように係合突起２３及び受電部２４がそれぞれ回動され、係合溝３２及び給電部３３に嵌合される。このことにより、ランプ部２は配線ダクト３に保持されると共に、配線ダクト３から給電されるので、照明を行なうことができる。
【００１４】
このように本実施形態のダクト式照明器具１においては、建築物Ｇに取り付けられた配線ダクト３の内部空間にランプ部２が収容された状態で、ランプ部２の係合突起２３及び受電部２４を回動するだけで、これらを配線ダクト３の係合溝３２及び給電部３３に係合させ、保持させることができる。このため、ランプ部２が配線ダクト３より下に突出しない形状としても容易にランプ部２を配線ダクト３に取り付けることができ、しかも、外観が良くなる。また、配線ダクト３の下端の位置を天井面と合わせることにより、天井面がフラットになり外観が更に良くなる。
【００１５】
なお、本発明は、上記各種実施形態の構成に限られず、発明の趣旨を変更しない範囲で種々の変形が可能である。例えば、上記実施形態では、一つの配線ダクト３に複数のランプ部２が保持されるものを示したが、保持されるランプ部２は一つでもよい。また、係合突起２３及び受電部２４（それらに対応する係合溝３２及び給電部３３）がそれぞれ別の部材として構成されたものを示したが、一つの部材で兼用するような構成としても構わない。
【図面の簡単な説明】
【００１６】
【図１】（ａ）は本発明の一実施形態に係るダクト式照明器具の構成図、（ｂ）は同ダクト式照明器具におけるランプ部の下からの斜視図。
【図２】（ａ）は同ダクト式照明器具におけるランプ部の断面図、（ｂ）は同ダクト式照明器具における配線ダクトの断面図。
【図３】（ａ）は同ダクト式照明器具の部分断面図、（ｂ）は（ａ）における線Ｂでの破断図、（ｃ）は（ａ）における線Ｃでの破断図、（ｄ）は（ａ）における線Ｄでの破断図。
【図４】同ダクト式照明器具におけるランプ部と配線ダクトの係合する部分の斜視図。
【図５】（ａ）乃至（ｃ）は同ダクト式照明器具において、ランプ部が配線ダクトに取り付けられる動作を時系列に示す図。
【符号の説明】
【００１７】
１  ダクト式照明器具
２  ランプ部
２１  光源
２２  点灯回路
２３  係合突起
２４  受電部
２６  筐体
３  配線ダクト
３１  内壁面
３２  係合溝
３３  給電部
Ｇ  建築物
【図１】
2010147002.tif 000003
【図２】
2010147002.tif 000004
【図３】
2010147002.tif 000005
【図４】
2010147002.tif 000006
【図５】
2010147002.tif 000007